【事件の表示】
　特願２０１５−５４４０５４「ポリエチレンイミンエトキシレートでの気泡の安定化」拒絶査定不服審判事件〔平成２６年　６月　５日国際公開、ＷＯ２０１４／０８４８８５、平成２８年　２月２５日国内公表、特表２０１６−５０５６５７〕について、次のとおり審決する。
【結　論】
　本件審判の請求は、成り立たない。
【理　由】
第１　手続の経緯
　本願は、２０１３年３月８日〔パリ条約による優先権主張外国庁受理２０１２年１１月２８日（ＵＳ）米国〕を国際出願日とする出願であって、
　平成２８年８月２６日付けの拒絶理由通知に対して、平成２９年２月２８日付けで意見書の提出とともに手続補正がなされ、
　平成２９年６月２３日付けの拒絶査定に対して、平成２９年１１月１日付けで審判請求と同時に手続補正がなされ、
　平成３０年１月１０日付けの拒絶理由通知に対して、平成３０年４月１６日付けで意見書の提出とともに手続補正がなされ、
　平成３０年５月８日付けの拒絶理由通知に対して、平成３０年１１月１４日付けで意見書の提出とともに手続補正がなされたものである。
　
第２　本願発明
　本願の請求項１〜６に係る発明は、平成３０年１１月１４日付け手続補正により補正された特許請求の範囲の請求項１〜６に記載された事項により特定されるとおりのものであって、その請求項１に係る発明（以下「本１発明」という。）は、次のとおりのものである。
「【請求項１】
　０．１質量％〜２質量％の正に荷電したＰＥＩポリマー；
　１５質量％〜６０質量％の範囲のアニオン性界面活性剤、該アニオン性界面活性剤はラウリルポリオキシエチレンエーテル硫酸ナトリウムおよびＣ１４−Ｃ１６アルファオレフィンスルホン酸ナトリウムからなる；
　２質量％〜６質量％のアミンオキシド；
を含む発泡性洗浄組成物であって、
該発泡性洗浄組成物は、０．５質量％未満のコカミドＤＥＡを含む、発泡性洗浄組成物（但し、スルホコハク酸アルキルエステル類を含む発泡性洗浄組成物を除く）。」
　
第３　平成３０年５月８日付けの拒絶理由通知の概要
　平成３０年５月８日付け拒絶理由通知（以下「先の拒絶理由通知」という。）には、理由５として、次の理由が示されている。
　
「理由５：本願の請求項１〜７に係る発明は、その出願前日本国内又は外国において頒布された下記の刊行物１〜３に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許を受けることができない。
　…　記　…　
　刊行物１：特表２００９−５３７６９２号公報（先の刊行物１に同じ）
　刊行物２：特開平３−１１５４９５号公報
　刊行物３：特開２００６−１０４３３０号公報」
　
第４　当審の判断
１．引用刊行物及びその記載事項
（１）刊行物１（特表２００９−５３７６９２号公報）
　上記刊行物１には、次の記載がある。
摘記１ａ：請求項１及び３
「【請求項１】
　ａ）組成物の約０．１重量％〜約１０重量％の、約４００〜約１００００の重量平均分子量を有するポリエチレンイミン主鎖を含むアルコキシル化ポリエチレンイミンポリマーであり、
　　（１）修飾あたり平均約１〜約３０個のアルコキシ部分を有するポリアルコキシレン鎖による窒素原子あたり１つ又は２つのアルコキシル化修飾であって、前記アルコキシル化修飾の末端アルコキシ部分が水素、Ｃ１〜Ｃ４アルキル、又はこれらの混合物でキャップされている、アルコキシル化修飾、
　　（２）修飾あたり平均約１〜約４０個のアルコキシ部分を有するポリアルコキシレン鎖による窒素原子あたり１つのＣ１〜Ｃ４アルキル部分の置換及び１つ又は２つのアルコキシル化修飾であって、前記末端アルコキシ部分が水素、Ｃ１〜Ｃ４アルキル、又はこれらの混合物でキャップされている、置換及びアルコキシル化修飾、あるいは
　　（３）これらの組み合わせを更に含む、アルコキシル化ポリエチレンイミンポリマーと、
　ｂ）組成物の約５重量％〜約４０重量％のスルフェート又はスルホネート界面活性剤とを含む、液体洗剤組成物。…
　【請求項３】
　前記スルフェート又はスルホネート界面活性剤が、直鎖アルキルスルホネート、脂肪族アルコールスルフェート、アルキルアルコキシル化スルフェート、及びこれらの混合物から選択される、請求項１に記載の液体洗剤組成物。」
　
摘記１ｂ：段落０００１及び００１０
「【０００１】本発明は、食器表面からの改善されたグリース洗浄を提供する、アルコキシル化ポリエチレンイミンポリマー、アミンオキシド、及びスルフェート又はスルホネート界面活性剤を含む液体洗剤組成物に関する。…
　【００１０】本明細書で使用するとき、「軽質液体食器洗い洗剤組成物」は、手動で（すなわち手で）食器を洗う際に用いる組成物を指す。このような組成物は一般的には、本来泡立ち又は発泡性が高い。」
　 
摘記１ｃ：段落００１２
「【００１２】特に指示がない限り、重量パーセントは液体洗剤組成物の重量パーセントに関する。特に指示がない限り、温度はすべて摂氏（℃）で表記される。」
　
摘記１ｄ：段落００１３、００２１及び００３０
「【００１３】アルコキシル化ポリエチレンイミンポリマー　本発明の組成物は、組成物の約０．０１重量％〜約２重量％、好ましくは約０．１重量％〜約１．５重量％、より好ましくは約０．２重量％〜約１．５重量％のアルコキシル化ポリエチレンイミンポリマーを含み得る。…
　【００２１】修飾は、ポリエチレンイミン主鎖窒素原子の永続的な四級化をもたらし得る。永続的な四級化の程度は、ポリエチレンイミン主鎖窒素原子の０％〜約３０％であってよい。ポリエチレンイミン主鎖窒素原子の３０％未満が、永続的に四級化されることが好ましい。…
　【００３０】（実施例３）ポリエチレンイミン主鎖の窒素（ＮＨ）あたり１０個のエトキシ部分（ＥＯ）及び７個のプロポキシ部分（ＰＯ）を有し、四級化２２％のポリエチレンイミン（主鎖分子量５０００）で、以降ＰＥＩ　５０００
　実施例２に示されるようにＰＥＩ５０００ＥＯ１０ＰＯ７を調製する。
　ａ）四級化　窒素雰囲気下にて３００ｇのＰＥＩ５０００−１０ＥＯ／ＮＨ−７ＰＯ／ＮＨ（実施例２）を６０℃に加熱した。続いて７．３ｇのジメチルスルフェートを滴下して添加した。温度が７０℃に上昇し、混合物を３時間攪拌した。アミン力価の還元（０．９６７２ｍｍｏｌ／ｇ〜０．７５１４ｍｍｏｌ／ｇ）は、窒素の２２％が四級化したことを示した。２２％四級化されたＰＥＩ５０００−（１０ＥＯ−７ＰＯ）／ＮＨである３０７ｇの明褐色の粘稠な液体を得る。」
　
摘記１ｅ：段落００３７、００４０及び００５２
「【００３７】アニオン性界面活性剤…スルフェート又はスルホネート界面活性剤は、液体洗剤組成物の少なくとも５重量％、より好ましくは５重量％〜４０重量％、最も好ましくは５重量％〜３０重量％の濃度で存在する。…
　【００４０】スルフェート又はスルホネート界面活性剤は、Ｃ１１〜Ｃ１８アルキルベンゼンスルホネート（ＬＡＳ）、Ｃ８〜Ｃ２０第一級分枝鎖及びランダムアルキルスルフェート（ＡＳ）；Ｃ１０〜Ｃ１８第二級（２，３）アルキルスルフェート；Ｃ１０〜Ｃ１８アルキルアルコキシスルフェート（ＡＥｘＳ）であって、好ましくはｘが１〜３０であるもの；好ましくは１〜５個のエトキシ単位を含む、Ｃ１０〜Ｃ１８アルキルアルコキシカルボキシレート；米国特許第６，０２０，３０３号及び米国特許第６，０６０，４４３号で考察される中鎖分枝状アルキルスルフェート；米国特許第６，００８，１８１号及び米国特許第６，０２０，３０３号で考察される中鎖分枝状アルキルアルコキシスルフェート；ＰＣＴ国際公開特許ＷＯ９９／０５２４３、同ＷＯ９９／０５２４２、同ＷＯ９９／０５２４４、同ＷＯ９９／０５０８２、同ＷＯ９９／０５０８４、同ＷＯ９９／０５２４１、同ＷＯ９９／０７６５６、同ＷＯ００／２３５４９、及び同ＷＯ００／２３５４８で考察される変性アルキルベンゼンスルホネート（ＭＬＡＳ）；メチルエステルスルホネート（ＭＥＳ）；並びにα−オレフィンスルホネート（ＡＯＳ）から選択されてよい。… 
　【００５２】アミンオキシド界面活性剤　本明細書の液体洗剤組成物は、液体洗剤組成物の約０．１重量％〜約１５重量％のアミンオキシド界面活性剤を含んでよい。」
　
摘記１ｆ：段落００８１
「【００８１】【表１】
　１：平均０．６個のエトキシ基を含有するＣ１２〜１３アルキルエトキシスルホネート
　２：非イオン性物質は、９個のエトキシ基を含有するＣ１１アルキルエトキシル化界面活性剤のいずれかであってよい。
　３：ポリ（オキシエチレン−オキシプロピレン−オキシエチレン）ＡＢＡ型三元ブロックコポリマー（例えば、プルロニックＬ８１（ＰＬＵＲＯＮＩＣ　Ｌ８１）（登録商標）又はプルロニックＬ４３（登録商標））
　４：上記実施例１〜４で例示されたものなど
　５：１，３，ＢＡＣは、１，３ビス（メチルアミン）−シクロヘキサンである。
　６：（Ｎ，Ｎ−ジメチルアミノ）エチルメタクリレートホモポリマー」
　
２．刊行物２（特開平３−１１５４９５号公報）
　上記刊行物２には、次の記載がある。
摘記２ａ：第２頁左上欄第３〜１８行
「従来の台所用洗剤は、ＬＡＳ、ＳＬＥＳ、ＡＯＳ、高級アルコールＥＯをベースに脂肪酸アルカノールアミドやアミンオキサイドを添加したものがほとんどであったが、刺激性や毒性の点で問題があった。…起泡力は満足」
　
摘記２ｂ：第５頁左上欄第１行〜右下欄末行
「実施例１０
・Ｎ−ココイル−Ｎ−メチル−β−アラ
　ニントリエタノールアミン　　　　　　　２．０％
・ミリストイルアミドプロピルジメチル
　アミノ酢酸ベタイン　　　　　　　　　１０．０％
・ラウリン酸ジエタノールアミド　　　　　８．０％
・ポリオキシエチレン（３）ラウリル
　エーテル硫酸ナトリウム　　　　　　　　６．０％
・α−オレフィンスルホン酸ナトリウム　　４．０％
・エタノール　　　　　　　　　　　　　　３．０％
・香料　　　　　　　　　　　　　　　　　０．２％
・色素　　　　　　　　　　　　　　　　　適量　　
・クエン酸　　　　　　　　　　ｐＨ７．０とする量
・メチルパラベン　　　　　　　　　　　　０．１％
・水　　　　　　　　　　　　　　　　　　残　　　
…実施例１０〜１２の各液体洗浄剤の皿洗い試験と再付着性試験の結果を第４表に示す。
　実施例１〜１２の各洗浄剤組成物は手肌に温和であり、刺激が少なかった。
【発明の効果】
　本発明により、刺激性が少なく手肌に温和なアシル中性アミノ酸を含有し、しかも洗浄力と汚れの再付着防止に優れた液体洗浄剤組成物が得られる。
特許出願人　川研ファインケミカル株式会社」 
　
３．刊行物３（特開２００６−１０４３３０号公報）
　上記刊行物３には、次の記載がある。
摘記３ａ：請求項３
「【請求項３】（Ａ）…α−オレフィンスルホン酸塩（ＡＯＳ）、…ポリオキシエチレンラウリルエーテル硫酸塩（ＡＥＳ）から選ばれるアニオン界面活性剤…含有することを特徴とする洗浄剤の刺激低減方法。」
　
摘記３ｂ：段落０００１
「【０００１】本発明は、皮膚または粘膜に対する化学物質の刺激低減方法及であって、特に、衣料、硬質表面、毛髪、身体等に適用する洗浄剤の刺激低減方法及び洗浄剤組成物に関する。」
　
摘記３ｃ：段落００３８〜００４０
「【００３８】…ＡＯＳ：炭素数１４〜１８のアルキル基をもつα−オレフィンスルホン酸ナトリウム（ライオン（株）製、純分５５％の水性スラリー）…ＡＥＳ−Ｎａ：ポリオキシエチレン（ＥＯ３モル）ラウリルエーテル硫酸ナトリウム、ライオン社製…
　【００３９】…Ｃ１４アルファオレフィンスルホン酸ナトリウム粉末品（リポランＰＢ−８００、ライオン（株）製）…
　【００４０】【表−１】
　　　　　　　　　　　　　　　　　実施例
　　　　　　　　　　　　　　　　　 １０ 　…　 １３ 　…
界面活性剤　…　ＡＯＳ　　　　…　１．０　…　１．０　…
　　　　　　　　ＡＥＳ−Ｎａ　…　１．０　…　１．０　　」
　
（２）刊行物１に記載された発明
　摘記１ｂの「本発明は、…アルコキシル化ポリエチレンイミンポリマー、アミンオキシド、及びスルフェート又はスルホネート界面活性剤を含む液体洗剤組成物に関する。…「軽質液体食器洗い洗剤組成物」は…泡立ち又は発泡性が高い。」との記載、
　摘記１ｃの「特に指示がない限り、重量パーセントは液体洗剤組成物の重量パーセントに関する。」との記載、
　摘記１ｄの「実施例３（実施例３）ポリエチレンイミン主鎖の窒素（ＮＨ）あたり１０個のエトキシ部分（ＥＯ）及び７個のプロポキシ部分（ＰＯ）を有し、四級化２２％のポリエチレンイミン（主鎖分子量５０００）…２２％四級化されたＰＥＩ５０００−（１０ＥＯ−７ＰＯ）／ＮＨである３０７ｇの明褐色の粘稠な液体を得る。」との記載、並びに
　摘記１ｆの「表１」における「製剤表Ｉ−軽質液体食器洗い洗剤組成物…組成物…Ａ…Ｃ１２〜１３ＡＥ０．６Ｓ１…２９…Ｃ１０〜１４アミンオキシド…６…アルコキシル化ポリエチレンイミンポリマー４…０．１」との記載、及び「１：平均０．６個のエトキシ基を含有するＣ１２〜１３アルキルエトキシスルホネート…４：上記実施例１〜４で例示されたものなど」との記載からみて、刊行物１には、その「実施例３」で例示されたアルコキシル化ポリエチレンイミンポリマーを用いた「軽質液体食器洗い洗剤組成物」の具体例である「組成物Ａ」として、
『ポリエチレンイミン主鎖の窒素（ＮＨ）あたり１０個のエトキシ部分（ＥＯ）及び７個のプロポキシ部分（ＰＯ）を有する窒素の２２％が四級化したアルコキシル化ポリエチレンイミンポリマー０．１重量％、平均０．６個のエトキシ基を含有するＣ１２〜１３アルキルエトキシスルホネート２９重量％、及びＣ１０〜１４アミンオキシド６重量％を含む、発泡性が高い軽質液体食器洗い洗剤組成物。』についての発明（以下「刊１発明」という。）が記載されているといえる。
　
（３）対比
　本１発明と刊１発明とを対比する。 
　刊１発明の「ポリエチレンイミン主鎖の窒素（ＮＨ）あたり１０個のエトキシ部分（ＥＯ）及び７個のプロポキシ部分（ＰＯ）を有する窒素の２２％が四級化したアルコキシル化ポリエチレンイミンポリマー０．１重量％」は、その「窒素の２２％が四級化した」との記載からみて「正に荷電」していることが明らかであって、その「ポリエチレンイミンポリマー」との用語は「ＰＥＩポリマー」と同義であるから、本１発明の「０．１質量％〜２質量％の正に荷電したＰＥＩポリマー；」に相当し、
　刊１発明の「平均０．６個のエトキシ基を含有するＣ１２〜１３アルキルエトキシスルホネート２９重量％」は、当該スルホネート（スルホン酸塩）が、ＣｎＨ２ｎ＋１（ＯＣＨ２ＣＨ２）ｍＯＳＯ３Ｘで表される化学式において、ｎ＝１２〜１３、ｍ＝０．６、Ｘが不明のアルキルポリオキシエチレンエーテルスルホン酸塩であり、本１発明の「ラウリルポリオキシエチレンエーテル硫酸ナトリウム」が、当該化学式において、ｎ＝１２、ｍが不明、Ｘ＝Ｎａ＋のアルキルポリオキシエチレンエーテルスルホン酸塩であることから、両者は「１５質量％〜６０質量％の範囲のアニオン性界面活性剤、該アニオン性界面活性剤はラウリルポリオキシエチレンエーテル硫酸塩を含む；」という点において共通し、
　刊１発明の「Ｃ１０〜１４アミンオキシド６重量％」は、本１発明の「２質量％〜６質量％のアミンオキシド；」に相当し、
　刊１発明の「発泡性が高い軽質液体食器洗い洗剤組成物」は、本１発明の「発泡性洗浄組成物」に相当し、
　刊１発明の「食器洗い洗剤組成物」は、その組成からみて「０．５質量％未満のコカミドＤＥＡ」と「スルホコハク酸アルキルエステル類」を含まないことが明らかであることから、本１発明の「該発泡性洗浄組成物は、０．５質量％未満のコカミドＤＥＡを含む、発泡性洗浄組成物（但し、スルホコハク酸アルキルエステル類を含む発泡性洗浄組成物を除く）」に相当する。
　
　してみると、本１発明と刊１発明は、両者とも『０．１質量％〜２質量％の正に荷電したＰＥＩポリマー；１５質量％〜６０質量％の範囲のアニオン性界面活性剤、該アニオン性界面活性剤はラウリルポリオキシエチレンエーテル硫酸塩を含む；２質量％〜６質量％のアミンオキシド；を含む発泡性洗浄組成物であって、該発泡性洗浄組成物は、０．５質量％未満のコカミドＤＥＡを含む、発泡性洗浄組成物（但し、スルホコハク酸アルキルエステル類を含む発泡性洗浄組成物を除く）。』という点において一致し、次の〔相違点α〕において相違する。
　
〔相違点α〕ラウリルポリオキシエチレンエーテル硫酸塩を含むアニオン性界面活性剤が、本１発明においては「ラウリルポリオキシエチレンエーテル硫酸ナトリウムおよびＣ１４−Ｃ１６アルファオレフィンスルホン酸ナトリウムからなる」のに対して、刊１発明においてはそうではない点。
　
（４）判断
　上記〔相違点α〕について検討する。
　刊行物１に記載された発明は、刊行物１の請求項３（摘記１ａ）の「前記スルフェート又はスルホネート界面活性剤が、直鎖アルキルスルホネート、脂肪族アルコールスルフェート、アルキルアルコキシル化スルフェート、及びこれらの混合物から選択される、請求項１に記載の液体洗剤組成物。」との記載、及び同段落００４０（摘記１ｅ）の「スルフェート又はスルホネート界面活性剤は…Ｃ１０〜Ｃ１８アルキルアルコキシスルフェート（ＡＥｘＳ）であって、好ましくはｘが１〜３０であるもの…；並びにα−オレフィンスルホネート（ＡＯＳ）から選択されてよい。」との記載にあるように、アニオン性界面活性剤の種類としてＡＥＳ（アルキルアルコキシル化スルフェート）とＡＯＳ（直鎖アルキルスルホネート）との組み合わせを包含するものである。
　
　そして、例えば、摘記２ａの「台所用洗剤は、…ＳＬＥＳ、ＡＯＳ…をベースに…アミンオキサイドを添加したものがほとんどであったが、刺激性や毒性の点で問題があった。…起泡力は満足」との記載、及び摘記２ｂの「実施例１０…ポリオキシエチレン（３）ラウリルエーテル硫酸ナトリウム…α−オレフィンスルホン酸ナトリウム…実施例１〜１２の各洗浄剤組成物は手肌に温和であり、刺激が少なかった。」との記載、
　摘記３ａの「（Ａ）…α−オレフィンスルホン酸塩（ＡＯＳ）、…ポリオキシエチレンラウリルエーテル硫酸塩（ＡＥＳ）から選ばれるアニオン界面活性剤…含有することを特徴とする洗浄剤の刺激低減方法。」との記載、摘記３ｂの「本発明は…特に…硬質表面…に適用する洗浄剤の刺激低減方法及び洗浄剤組成物に関する。」との記載、及び摘記３ｃの「ＡＯＳ：炭素数１４〜１８のアルキル基をもつα−オレフィンスルホン酸ナトリウム」と「ＡＥＳ−Ｎａ：ポリオキシエチレン（ＥＯ３モル）ラウリルエーテル硫酸ナトリウム」とを組み合わせて使用している実施例１０及び１３の記載、
　並びに、例えば、特表２００２−５１４５８６号公報（周知例Ａ）の段落００２４〜００２５の「ナトリウムラウレス（ｌａｕｒｅｔｈ）サルフェート（ＳＬＥＳ−２）…Ｃ１４−１６αオレフィンスルホネート（ＡＯＳ−ＰＣ）」との記載にあるように、
　毒性などの問題点を考慮した場合に「ポリオキシエチレンラウリルエーテル硫酸塩（ＳＬＥＳ；アルキル基の炭素数が１２のＡＥＳ）」に組み合わせるべきアニオン性界面活性剤の種類として「α−オレフィンスルホン酸塩（ＡＯＳ）」が好ましいことが普通に知られており、
　ＡＥＳ（アルキルエトキシスルホネート）として、そのアルキル基の炭素数が１２のナトリウム塩（ＳＬＥＳ）が常用され、
　ＡＯＳ（α−オレフィンスルホネート）として、そのアルキル基の炭素数が１４〜１６程度のナトリウム塩が常用されていることも普通に知られている。
　してみると、刊１発明のアニオン性界面活性剤の種類を、ＡＥＳ単独から、刊行物１〜３に記載されたＡＥＳとＡＯＳの組み合わせからなるものに置き換え、そのアルキル基の炭素数と塩の種類を常用されている範囲のものにすることは、当業者にとって通常の創作能力の発揮の範囲である。
　
　次に、本１発明の効果について検討するに、本願明細書の段落０００６には「コカミドＤＥＡの代替として用いることができる気泡安定剤を提供することが本願の目的である。」との記載があるところ、刊１発明は、コカミドジエタノールアミン（ＤＥＡ）を用いず、少量の四級化したアルコキシル化ポリエチレンイミン（ＰＥＩ）ポリマーを用いた「発泡性が高い軽質液体食器洗い洗剤組成物」に関するものであるから、四級化したＰＥＩポリマーを用いることで、コカミドＤＥＡを用いないことが刊行物１に明記されていなくとも、結果的にコカミドＤＥＡを代替できるという効果が示されているといえ、その効果は、格別予想外の顕著な効果であるとは認められない。
　
　そして、本１発明は「０．５質量％未満のコカミドＤＥＡを含む」ものであるのに対して、刊１発明はコカミドＤＥＡを含まないものであるから、本願明細書の段落００１４の「本発明の発泡性洗浄組成物は、有利には、コカミドＤＥＡを含まず、リン酸塩を含まず、そしてアミノカルボン酸塩を含まず、加えて、人間への使用に安全であると包括的に認識される（ＧＲＡＳ）成分だけを含むように配合される。」との記載にある「コカミドＤＥＡ」などの安全性に問題がある成分を含まないという観点において、本１発明が刊１発明に比して有利な効果があるとは認められない。
　
　また、本願明細書の図４「
」には、気泡高さ（ｍＬ）が、加えられた汚れの液滴が４の場合に、従来例の商品３で６０ｍＬ、本１発明の具体例に相当する試料＃２０、＃４０及び＃４１で４０ｍＬの結果であり、加えられた汚れの液滴が２の場合に、商品３で１４０ｍＬ、試料＃２０で１２０ｍＬ、試料＃４０で８０ｍＬ、試料＃４１で９０ｍＬの結果であることが示されており、本１発明が刊１発明のような従来技術に比して、発泡性の点で優れた効果を有するものであることを裏付ける実験結果なども見当たらないので、本１発明に発泡性の点で格別優れた効果があるとは認められない。
　
　そもそも、平成３０年１１月１４日付けの意見書の第９頁第１７〜２９行において、審判請求人は『（い）「アニオン性界面活性剤」の種類を「ラウリルエーテル硫酸ナトリウムおよびアルファオレフィンスルホネート」に特定することの「技術上の意義」について
　ラウリルエーテル硫酸ナトリウムおよびアルファオレフィンスルホン酸ナトリウムは、従来技術において、両方とも、特には汎用の発泡剤であるコカミドジエタノールアミン（ＤＥＡ）とともに、発泡組成物において用いられきたものです。
　本願発明は、ラウリルエーテル硫酸ナトリウム、アルファオレフィンスルホン酸ナトリウムおよびコカミドジエタノールアミン（ＤＥＡ）を含む従来技術の発泡組成物において、潜在的な問題のあるコカミドジエタノールアミン（ＤＥＡ）を、少量のＰＥＩエトキシレートによって置き換えることができることを見出したことによってなされたものであり、このことに本願発明の技術上の意義があるものです。
　従って、「アニオン性界面活性剤」の種類を「ラウリルエーテル硫酸ナトリウムおよびアルファオレフィンスルホネート」に特定することについて、従来技術に対して特段の「技術上の意義」があるものではありません。』と釈明している。
　してみると、本１発明において「アニオン性界面活性剤」を「ラウリルポリオキシエチレンエーテル硫酸ナトリウムおよびＣ１４−Ｃ１６アルファオレフィンスルホン酸ナトリウム」に特定することに、格別の技術上の意義があるとは認められない。
　
　以上のとおりであるから、本１発明に刊行物１〜３から予想外の格別の効果があるとは認められない。
　
　したがって、本１発明は、刊行物１〜３に記載された発明に基づいて、当業者が容易に発明をすることができたものであるから、特許法第２９条第２項の規定により特許を受けることができない。
　
（５）審判請求人の主張について
　平成３０年１１月１４日付けの意見書の第３頁第１４行〜第４頁第５７行において、審判請求人は
『（４−２）本願発明と引用文献１に記載された発明との対比
　本願明細書の実施例で用いられているラウリルエーテル硫酸ナトリウムおよびアルファオレフィンスルホン酸ナトリウムは、従来技術において、両方とも、特には汎用の発泡剤であるコカミドジエタノールアミン（ＤＥＡ）とともに、発泡組成物において用いられています。
　
本願発明は、ＤＥＡを含まない発泡組成物に関するものです
　本願明細書で開示する発明は、従来技術の発泡組成物を代替することのできる、
ＤＥＡを用いない発泡組成物を提供するものです
　審判長殿は、
商品３の気泡高さと試料＃２０、＃４０および＃４１の気泡高さを比較
本願発明に該当する試料では、コカミドＤＥＡを排除することができたという顕著な効果を無視したもの
　更には、図１１において、配合物＃２０、＃２６、＃４１および＃４５でみることができるように、
ＰＥＩエトキシレートを用いた場合
　図１３および１４では、温度が８０°Ｆではなく１１０°Ｆと異なりますが、図１１および１２と同様の結果が示されており、
ＰＥＩエトキシレートが、ＤＥＡへの気泡増強代替として実現可能
　本願明細書の段落０２６５〜０２７０および表２１〜２３には、以下のことが記載されています。
　更に、図３５および３６に示されるように、
ＰＥＩエトキシレートを用いた組成物は、ＰＥＩエトキシレートを含まない組成物よりも、良好な性能を発現します
　更に、審判請求人は、審判長殿には、本願発明の組成物の発泡プロファイルのみに着目するのではなく、本願発明の組成物の全体的な利益、すなわち、
問題視されるＤＥＡを置換し
より良好な発泡プロファイルおよびより良好な洗浄性能を提供する
先行技術に対する本願発明の顕著な技術的貢献であると思料します
　
　しかしながら、上記意見書の「
本願発明は、ＤＥＡを含まない発泡組成物に関するものです
本願発明に該当する試料では、コカミドＤＥＡを排除することができたという顕著な効果を無視したもの
　
　また、上記意見書の「
ＰＥＩエトキシレートを用いた組成物は、ＰＥＩエトキシレートを含まない組成物よりも、良好な性能を発現します
　
　そして、上記意見書の「
問題視されるＤＥＡを置換し
より良好な発泡プロファイルおよびより良好な洗浄性能を提供する
先行技術に対する本願発明の顕著な技術的貢献であると思料します
　したがって、上記意見書の主張は採用できない。
　
第５　むすび
　以上のとおり、本１発明は、特許法第２９条第２項の規定により特許をすることができないものであるから、その余のことを検討するまでもなく、本願は拒絶すべきものである。
　よって、結論のとおり審決する。